(57)【要約】  【課題】上下方向の寸法制約による限られたスペースで商品誘導部材を横方向へ延在することが可能で、商品を横方向に寄せる距離を大きくすることができ、商品誘導性能を向上することができる自動販売機を提供する。  【解決手段】商品誘導部材１１７において、第６誘導部１１７ｆはシュート１０８の滑り面に対し、ほぼ平行になるよう構成され、第５誘導部１１７ｅと第６誘導部１１７ｆの境界部１１７ｇは緩衝部材１１９に対し、任意の一定距離となるよう構成することにより、商品誘導部材１１７の横方向に対する傾斜角度を抑制することができ、上下方向の寸法制約による限られたスペースで商品誘導部材１１７を横方向へ延在することが可能となり、商品の横方向への誘導幅を大きくすることができ、商品誘導性能を向上することができる。【選択図】図２
2008305296.tif 000002
【特許請求の範囲】
【請求項１】
商品払出装置を備えた商品収納部と取出口との間に配置され、商品払出装置から払い出された商品が落下して滑降または転動するように傾斜して配されたシュートと、商品収納部前側に開閉自在な内扉を備える自動販売機において、前記シュートの滑り面に対して、複数の面からなる商品誘導部材を有し、前記商品誘導部材は前記シュートの滑り面に対し鉛直方向に直立した第１誘導部と、第１誘導部の上端部から前記シュートの滑り面に対し外方から内方へ傾斜する第２誘導部と、前記第２誘導部の奥側端部から前記シュート奥方向へ延在しかつ前記シュートの滑り面に対し外方から内方へ傾斜する第３誘導部と、前記第３誘導部の奥側端部から前記シュート奥方向へ延在しかつ前記シュートの滑り面に対し、外方から内方へ傾斜する第４誘導部と、前記第２誘導部前側端部から商品シュートの滑り面に対し外方から内方へ傾斜しかつ前方から奥方向へ傾斜する第５誘導部と、前記第５誘導部前側端部から前記シュートの滑り面に対し外方から内方へ傾斜する第６誘導部と、前記商品誘導部材近傍の前記内扉内面に緩衝部材を備え、前記第５誘導部と前記第６誘導部の境界部は前記緩衝部材に対し、任意の一定距離となるよう構成され、第６誘導部はシュートの滑り面に対し、前方から奥方向には傾斜しないことを特徴とする自動販売機。
【発明の詳細な説明】
【技術分野】
【０００１】
本発明は、商品払出装置を備えた商品収納室から搬出された商品をシュートを介して取出口に送出する自動販売機に関するものである。
【背景技術】
【０００２】
従来、この種の自動販売機は、商品収納部から搬出される商品をシュート上を滑走または転動させ取出口まで誘導するために、シュート上に構成した商品誘導部材により取出口に誘導させている（たとえば、特許文献１参照）。
【０００３】
図４は特許文献１に記載された従来の自動販売機を示すものである。図４に示す様に、自動販売機１の図示しない内側天井部に吊り下げられ横方向に複数並ぶ商品収納室２と自動販売機１前面下部に設けられた図示しない取出口との間に、断熱を目的として構成された開閉自在の内扉３と、商品収納室２と取出口との間に商品収納室２より搬出された商品４が滑降または転動するように傾斜して配されたシュート５を備えている。内扉３には商品４が通過可能な大きさの開口部６が設けられており、商品収納室２から商品４が搬出された際に、シュート５上を転動または滑降する商品４を開口部６へ寄せ集めるために、複数の傾斜面からなる商品誘導部材７が設けられている。
【０００４】
以上のように構成された自動販売機について、以下その動作を説明する。
【０００５】
商品収納部２より搬出された商品はシュート上に落下し、取出口の方向へ傾斜したシュート上を転動または滑降しながら移動する。その際、商品はシュート上に構成された商品誘導部材によって横方向に誘導され、内扉の開口部に寄せ集められて取出口まで搬出される。
【特許文献１】特許第３８０７３４８号公報
【発明の開示】
【発明が解決しようとする課題】
【０００６】
しかしながら、上記従来の構成では、商品を横方向に送るために商品誘導部材を斜めに傾斜させて構成しているが、内扉内側に商品の衝撃を緩衝するために図示しない緩衝部材が構成されており、緩衝部材に飲み口が当接する場合、商品と緩衝部材との間に摩擦力が生ずる。
【０００７】
したがって、摩擦力により商品が止まらないよう商品誘導部材の傾斜角度を大きく構成する必要があった。また、商品誘導部材の高さ方向の寸法規制（商品の多収容化に伴い商品収納部のスペースを出来る限り大きく確保するため）があるため、商品誘導部材の横方向に対する誘導幅が限られていた。
【０００８】
本発明は、この課題を解決するもので、上下方向の寸法制約による限られたスペースで商品誘導部材を横方向へ延在することが可能で、商品を横方向に寄せる距離を大きくすることができ、商品誘導性能を向上することができる自動販売機を提供することを目的としている。
【課題を解決するための手段】
【０００９】
上記従来の課題を解決するために、本発明の自動販売機は、商品払出装置を備えた商品収納部と取出口との間に配置され、商品払出装置から払い出された商品が落下して滑降または転動するように傾斜して配されたシュートと、商品収納部前側に開閉自在な内扉を備える自動販売機において、前記シュートの滑り面に対して、複数の面からなる商品誘導部材を有し、前記商品誘導部材は前記シュートの滑り面に対し鉛直方向に直立した第１誘導部と、第１誘導部の上端部から前記シュートの滑り面に対し外方から内方へ傾斜する第２誘導部と、前記第２誘導部の奥側端部から前記シュート奥方向へ延在しかつ前記シュートの滑り面に対し外方から内方へ傾斜する第３誘導部と、前記第３誘導部の奥側端部から前記シュート奥方向へ延在しかつ前記シュートの滑り面に対し、外方から内方へ傾斜する第４誘導部と、前記第２誘導部前側端部から商品シュートの滑り面に対し外方から内方へ傾斜しかつ前方から奥方向へ傾斜する第５誘導部と、前記第５誘導部前側端部から前記シュートの滑り面に対し外方から内方へ傾斜する第６誘導部と、前記商品誘導部材近傍の前記内扉内面に緩衝部材を備え、前記第５誘導部と前記第６誘導部の境界部は前記緩衝部材に対し、任意の一定距離となるよう構成され、第６誘導部はシュートの滑り面に対し、前方から奥方向には傾斜しないことを特徴としている。
【００１０】
このことから、商品払出時のシュート上での滑り性を向上することができるため、商品誘導部材の傾斜角度を小さくすることができ、限られたスペースで商品の送出性を向上することができる。この結果、搬出扉をコンパクトにすることができ、断熱性能の向上、および搬出扉の軽量化による送出性能の向上とコスト削減の目的が達成できる。
【発明の効果】
【００１１】
本発明の自動販売機は、商品誘導部材の傾斜角を抑制することができるため、限られたスペースでの商品誘導性能を向上でき、搬出扉のコンパクト化が図れることにより、断熱性能の向上および搬出扉軽量化による搬出性能向上とコスト削減ができる。
【発明を実施するための最良の形態】
【００１２】
請求項１に記載の発明は、商品払出装置を備えた商品収納部と取出口との間に配置され、商品払出装置から払い出された商品が落下して滑降または転動するように傾斜して配されたシュートと、商品収納部前側に開閉自在な内扉を備える自動販売機において、前記シュートの滑り面に対して、複数の面からなる商品誘導部材を有し、前記商品誘導部材は前記シュートの滑り面に対し鉛直方向に直立した第１誘導部と、第１誘導部の上端部から前記シュートの滑り面に対し外方から内方へ傾斜する第２誘導部と、前記第２誘導部の奥側端部から前記シュート奥方向へ延在しかつ前記シュートの滑り面に対し外方から内方へ傾斜する第３誘導部と、前記第３誘導部の奥側端部から前記シュート奥方向へ延在しかつ前記シュートの滑り面に対し、外方から内方へ傾斜する第４誘導部と、前記第２誘導部前側端部から商品シュートの滑り面に対し外方から内方へ傾斜しかつ前方から奥方向へ傾斜する第５誘導部と、前記第５誘導部前側端部から前記シュートの滑り面に対し外方から内方へ傾斜する第６誘導部と、前記商品誘導部材近傍の前記内扉内面に緩衝部材を備え、前記第５誘導部と前記第６誘導部の境界部は前記緩衝部材に対し、任意の一定距離となるよう構成され、第６誘導部はシュートの滑り面に対し、前方から奥方向には傾斜しないよう構成したことにより、商品誘導部材の傾斜角度を抑制することができるため、限られたスペースでの商品誘導性能を向上でき、搬出扉のコンパクト化が図れることにより、断熱性能の向上および搬出扉軽量化による搬出性能向上とコスト削減ができる。
【００１３】
以下、本発明の実施の形態について、図面を参照しながら説明する。なお、この実施の形態によってこの発明が限定されるものではない。
【００１４】
（実施の形態１）
図１は、本発明の実施の形態１における自動販売機の側面図である。
【００１５】
図１で本発明の自動販売機１０１は自動販売機本体１０２とその前面を開閉する外扉１０３を備えている。外扉１０３と自動販売機本体１０２の間には内扉１０４が配置され、本体１０２の前面を開閉自在に構成されている。自動販売機本体１０２内には缶商品などを収納する複数の商品収納部１０５を形成し、商品１１８は上下に積み重ねて収納されている。商品収納部１０５の下部には、選択された商品１１８を搬出する商品払出装置１０６が商品収納部１０５ごとに配置されている。
【００１６】
商品払出装置１０６の下方には、搬出された商品１１８を外扉１０３に構成した取出口１０７へ排出するシュート１０８が傾斜配置して形成されている。また内扉１０４の下部には搬出扉１０９があり、取出口１０７とシュート１０８の間に構成され、販売待機時は搬出扉１０９によって、この間が仕切られている状態となっている。
【００１７】
シュート１０８の下部には、冷却システムを構成する蒸発器１１０や加温装置（図示しない）が配置され、各室へは庫内ファン１１１によって収納室内を所定温度に冷却または加温する。
【００１８】
また自動販売機本体１０２の下部には断熱板１１２で区画された機械室１１３が形成されており、機械室１１３の前方側には冷却システムの凝縮器１１４を配置し、その後方に凝縮器ファン１１５が備えられ、凝縮器ファン１１５によって自動販売機１０１の前方から空気を吸い込み凝縮器１１４を通過して風下側にある蒸発皿（図示しない）や圧縮機１１６に導かれる構成となっている。
【００１９】
図２は、本発明の実施の形態１における自動販売機のシュートの斜視図である。
【００２０】
シュート１０８の滑り面１０８ａには商品誘導部材１１７がシュート１０８のそれぞれ左右端またはどちらか一方に配されている。取出口１０７近辺の商品誘導部材１１７は、シュート１０８の滑り面１０８ａに対して、鉛直方向に直立した第１誘導部１１７ａと、第１誘導部１１７ａの上端部からシュート１０８の滑り面１０８ａに対し外方から内方へ傾斜する第２誘導部１１７ｂと、第２誘導部１１７ｂの奥側端部からシュート１０８の奥方向へ延在しかつシュート１０８の滑り面１０８ａに対し外方から内方へ傾斜する第３誘導部１１７ｃと、第３誘導部１１７ｃの奥側端部からシュート１０８奥方向へ延在しかつシュート１０８の滑り面１０８ａに対し、外方から内方へ傾斜する第４誘導部１１７ｄと、第２誘導部１１７ｂ前側端部からシュート１０８の滑り面１０８ａに対し外方から内方へ傾斜しかつ前方から奥方向へ傾斜する第５誘導部１１７ｅと、第５誘導部１１７ｅ前側端部からシュート１０８の滑り面１０８ａに対し外方から内方へ傾斜する第６誘導部１１７ｆを備え、第６誘導部１１７ｆはシュートの滑り面に対し、ほぼ平行になるよう構成されている。また、内扉１０４のシュート１０８側の内壁部には、商品１１８が内扉１０４へ衝突する際の衝撃を緩衝するため商品誘導部材１１７近傍に緩衝部材１１９を備え、第５誘導部１１７ｅと第６誘導部１１７ｆの境界部１１７ｇは緩衝部材１１９に対し、任意の一定距離となるよう構成されている。
【００２１】
以上のように構成された自動販売機について、以下その動作、作用を説明する。
【００２２】
商品１１８購入時に任意の商品払出装置１０６作動により、商品１１８は商品収納部１０５の下積みの方から１個だけ搬出される。この時商品１１８はシュート１０８に接触するまで自由落下し、それ以降は、商品１１８はシュート１０８の滑り面上を滑降または転動し、途中商品誘導部材１１７による方向規制を受けつつ取出口１０７の方に誘導される。
【００２３】
この、商品１１８がシュート１０８上を滑降または転動して取出口１０７まで誘導される過程について以下説明する。
【００２４】
図３は、本発明の実施の形態１における自動販売機のシュートの斜視図であり、比較的全長寸法が大きな商品１１８が商品払出装置１０６作動により搬出された場合の動作を示すものである。
【００２５】
商品１１８が滑降または転動してシュート上を移動する場合においては、通常商品誘導部材１１７の任意の商品誘導部（１１７ａ〜１１７ｆ）により、搬出扉１０９へ寄せ集められ、搬出扉１０９を通過して取出し口１０７へ誘導される。この商品１１８の搬出過程では多数の誘導経路があるが、商品払出装置１０６から搬出された商品１１８がシュート１０８上を長手方向と同方向に滑走する場合、商品誘導部材１１７上にて商品１１８の飲み口側が緩衝部材１１９に接触する場合がある。
【００２６】
この場合、緩衝部材１１９と商品１１８との間に摩擦抵抗が働くため、商品１１８を搬出扉１０９へ誘導するには、摩擦抵抗に勝る送出力すなわち商品誘導部材１１７の横方向に対する傾斜角が通常は必要となる。しかしながら、本発明の第５誘導部１１７ｅおよび第６誘導部１１７ｆの構成により、商品１１８の飲み口側が前方向で滑走した場合でも、第５誘導部１１７ｅと第６誘導部１１７ｆとの境界部１１７ｇを緩衝部材１１９に対し、商品１１８の飲み口が搬出扉１０９と接触するに不安定な位置関係となる様、おおよそ１５ｍｍから２０ｍｍ程度の距離（Ａ寸法）を保つよう構成することにより、商品１１８が第５誘導部１１７ｅの傾斜により奥方向へ押し戻されるため、緩衝部材１１９と接触し続ける状態を回避することができ、緩衝部材１１９と商品１１８との摩擦抵抗を無にすることができるため、商品誘導部材１１７の傾斜角を抑制しても商品１１８を搬出扉１０９まで誘導することが可能となる。
【産業上の利用可能性】
【００２７】
以上のように、本発明にかかる自動販売機は、商品払出時のシュート上での滑り性を向上することができるため、商品誘導部材の傾斜角度を小さくすることができ、限られたスペースで商品の送出性を向上することができ、搬出扉をコンパクトにすることができ、断熱性能の向上、および搬出扉の軽量化による送出性能の向上とコスト削減ができる。
【図面の簡単な説明】
【００２８】
【図１】本発明の実施の形態１における自動販売機の側面図
【図２】同実施の形態の自動販売機の要部斜視図
【図３】同実施の形態の自動販売機の要部斜視図
【図４】従来の自動販売機の斜視図
【符号の説明】
【００２９】
１０１  自動販売機
１０２  自動販売機本体
１０４  内扉
１０５  商品収納部
１０６  商品払出装置
１０７  取出口
１０８  シュート
１０８ａ  滑り面
１１７  商品誘導部材
１１７ａ  第１誘導部
１１７ｂ  第２誘導部
１１７ｃ  第３誘導部
１１７ｄ  第４誘導部
１１７ｅ  第５誘導部
１１７ｆ  第６誘導部
１１７ｇ  境界部
１１８  商品
１１９  緩衝部材
【図１】
2008305296.tif 000003
【図２】
2008305296.tif 000004
【図３】
2008305296.tif 000005
【図４】
2008305296.tif 000006